(57)【要約】【課題】利用者がＩＣタグ等の記録媒体を翳しやすくするため、設置方向を容易に変更可能とした非接触リーダライタを提供する。【解決手段】記録媒体からのデータの読み取り及び当該記録媒体へのデータの書き込みを非接触で行う非接触リーダライタであって、リーダライタ本体１の設置状態においてリーダライタ本体１の前面を傾斜して形成し、リーダライタ本体１の背面に壁面取付用の取付部を設けたものである。【選択図】図１
0003137387.tif 000002
【実用新案登録請求の範囲】
【請求項１】
記録媒体からのデータの読み取り及び当該記録媒体へのデータの書き込みを非接触で行う非接触リーダライタであって、
リーダライタ本体の設置状態において当該リーダライタ本体の前面を傾斜して形成し、前記リーダライタ本体の背面に壁面取付用の取付部を設けたことを特徴とする非接触リーダライタ。
【請求項２】
請求項１に記載の非接触リーダライタにおいて、
前記リーダライタ本体は、箱状に形成された筐体と、当該筐体に取付部材により取り付けられた前面板とを備え、前記前面板を前記取付部材により前記筐体に対して着脱可能としたことを特徴とする非接触リーダライタ。
【請求項３】
請求項１又は２に記載の非接触リーダライタにおいて、
前記前面板に透光部が設けられ、当該透光部に面発光パネルが当接して配置され、当該面発光パネルは、前記前面板とともに前記筐体に対して着脱可能に構成される一方、背面に図柄が描かれ、前記記録媒体を翳して前記データの読み取り及び書き込みを行ったときに前記図柄が面発光するように表示されることを特徴とする非接触リーダライタ。
【請求項４】
請求項１乃至３のいずれか一項に記載の非接触リーダライタにおいて、
前記筐体は、その設置面側に電源ケーブルの引出し用の凹部が形成されていることを特徴とする非接触リーダライタ。
【考案の詳細な説明】
【技術分野】
【０００１】
本考案は、商品やサービスの広告情報が提供される多数の場所（例えば、店舗内外、キャンペーン会場内、駅構内等）に設置され、ＲＦＩＤ（Radio Frequency Identification）等から成るＩＣ（Integrated Circuit）タグ、ＩＣカード、ＩＣチップが搭載された携帯機器等の記録媒体に記録された情報を非接触にて読み取り、又は書き込む非接触リーダライタの技術分野に関する。
【背景技術】
【０００２】
近年、携帯電話機の普及に伴い、商品やサービスの情報を電子メールにて配信するといった情報提供システムが普及している。特に最近では、商品やサービスの情報の中でも利用者が特に興味を持った情報を選別して配信する種々の工夫がなされている。この種の情報提供システムとして、例えば情報管理者は、予め利用者にＩＣタグを配布しておき、商品やサービスのポスター等の広告媒体の背後にＩＣタグに記録されたＩＤ（IDentifier）を読み取る非接触リーダライタを備えた端末を屋外や店舗内等に設置し、利用者は興味を持った商品やサービスのポスター等に自己が所有するＩＣタグを翳すことにより、背後に設置された非接触リーダライタによってＩＣタグのＩＤが読み取られ、ポスター等に告知された広告の詳細な情報や、当該詳細な情報を提供する情報提供サーバのＵＲＬ（Uniform Resource Locator）が、上記端末から利用者の携帯電話機に電子メールを通じて提供されるシステムがある。
【０００３】
ところで、上記非接触リーダライタは、例えば特許文献１及び特許文献２に開示されているように、それぞれ筐体が箱状の直方体に形成されている。
【特許文献１】特開平１１−９８０６２号公報
【特許文献２】特開平１１−２３８１０３号公報
【考案の開示】
【考案が解決しようとする課題】
【０００４】
しかしながら、特許文献１及び特許文献２に開示された従来の非接触リーダライタは、それぞれ筐体が箱状の直方体に画一的に形成されているため、設置する場所に応じて設置方向を変化させることができない。
【０００５】
つまり、従来の非接触リーダライタは、卓上に設置する場合、その設置台の高さに応じてＩＣタグ等の記録媒体を翳すための翳し部を利用者が認識しやすく、かつ翳しやすいように設置方向を変化させることができないため、利用者が非接触リーダライタの存在を認識することができなかったり、読取りエラー等の不具合を誘発する原因となっている。
【０００６】
そこで、本考案は上記事情を考慮してなされたもので、利用者がＩＣタグ等の記録媒体を翳しやすくするため、設置方向を容易に変更可能とした非接触リーダライタを提供することを目的とする。
【課題を解決するための手段】
【０００７】
上述した課題を解決するため、請求項１に記載の考案は、記録媒体からのデータの読み取り及び当該記録媒体へのデータの書き込みを非接触で行う非接触リーダライタであって、リーダライタ本体の設置状態において当該リーダライタ本体の前面を傾斜して形成し、前記リーダライタ本体の背面に壁面取付用の取付部を設けたことを特徴とする。
【０００８】
請求項２に記載の考案は、請求項１に記載の非接触リーダライタにおいて、前記リーダライタ本体は、箱状に形成された筐体と、当該筐体に取付部材により取り付けられた前面板とを備え、前記前面板を前記取付部材により前記筐体に対して着脱可能としたことを特徴とする。
【０００９】
請求項３に記載の考案は、請求項１又は２に記載の非接触リーダライタにおいて、前記前面板に透光部が設けられ、当該透光部に面発光パネルが当接して配置され、当該面発光パネルは、前記前面板とともに前記筐体に対して着脱可能に構成される一方、背面に図柄が描かれ、前記記録媒体を翳して前記データの読み取り及び書き込みを行ったときに前記図柄が面発光するように表示されることを特徴とする。
【００１０】
請求項４に記載の考案は、請求項１乃至３のいずれか一項に記載の非接触リーダライタにおいて、前記筐体は、その設置面側に電源ケーブルの引出し用の凹部が形成されていることを特徴とする。
【考案の効果】
【００１１】
請求項１に記載の考案によれば、リーダライタ本体の前面を傾斜して形成し、リーダライタ本体の背面に壁面取付用の取付部を設けたことにより、卓上又は壁面に設置した場合、記録媒体を翳すための翳し部を利用者が認識しやすく、かつ翳しやすいようにリーダライタ本体の設置方向を変化させることで、設置面に対する翳し部の角度を変更することができる。その結果、利用者がリーダライタ本体の存在を確実かつ容易に認識することができるとともに、読取りエラー等の不具合を未然に防止することができる。
【００１２】
請求項２に記載の考案によれば、リーダライタ本体は、箱状に形成された筐体と、この筐体に取付部材により取り付けられた前面板とを備え、この前面板を取付部材により筐体に対して着脱可能としたことにより、前面板に色柄が施されており、当該色柄を変更する場合、取付部材を取り外して前面板を他の色柄の前面板と交換して取り付けることで、前面板を色柄の異なるものに変更することができる。
【００１３】
請求項３に記載の考案によれば、面発光パネルを前面板ととともに筐体に対して着脱可能に構成したことにより、リーダライタ本体の上下の設置方向が逆になった場合、前面板ととともに面発光パネルを取り外し、当該面発光パネルの図柄の向きを正規の向きに変更して取り付けることができる。
【００１４】
請求項４に記載の考案によれば、筐体の設置面側に電源ケーブルの引出し用の凹部を形成したことにより、リーダライタ本体の上下の設置方向が逆になった場合でも、電源ケーブルを凹部を通して引き出すことで、電源ケーブルの引き回し部分がリーダライタ本体の周囲に露出することがなくなり、記録媒体を翳すときに電源ケーブルが邪魔になるのを回避することができる。
【考案を実施するための最良の形態】
【００１５】
以下、図面を参照して本考案を実施するための最良の形態について説明する。
【００１６】
なお、以下に説明する実施形態は、記録媒体として例えばＩＣチップが搭載された携帯電話機に記録された情報を非接触にて読み取り、又は書き込む場合の非接触リーダライタに対して本考案を適用した場合の実施の形態である。
【００１７】
図１は本考案に係る非接触リーダライタの一実施形態を示す斜視図、図２は図１の縦断面図、図３は図１の側面図、図４は図１の背面図、図５は図１の化粧パネルの裏側を示す斜視図である。
【００１８】
なお、図１〜図４は、リーダライタ本体を卓上に設置した状態であり、図１〜図４においては、右側を上側とし、左側を下側として説明する。また、電源ケーブルは、図２のみに示し、他の図面では省略している。
【００１９】
図１〜図４に示すように、リーダライタ本体１は、全体が幅５８ｍｍ、長さ１０８ｍｍ、高さ４５ｍｍである。また、リーダライタ本体１は、箱状に形成された筐体２を有し、この筐体２は、図２に示すように両側面を構成しそれぞれの上辺が傾斜して形成された側面板３，３と、筐体２の蓋板を構成する背面板４と、この背面板４の右側(上側)の端部に固定部材７ａにより固定された係止板５と、背面板４の左側(下側)の端部に固定部材７ｂにより固定された係止板６とを備えている。
【００２０】
ここで、側面板３，３は、それぞれ筐体２の蓋板を構成する背面板４より背面側（下方）に同一の高さで延びており、これにより側面板３，３及び背面板４により筐体２の背面側に凹部８を形成している。また、背面板４は、図４に示すように中央に壁面取付用の取付部としての開口部４ａが形成され、この開口部４ａは、予め壁面に取り付けられたフック等の掛止手段を用いて壁面に掛けて使用する場合に用いられる。
【００２１】
筐体２の上部開口には、前面板としての化粧パネル９が取り付けられ、その上部開口が化粧パネル９によって覆われる。この化粧パネル９は、右(上)端が折曲して形成される一方、左(下)端が湾曲して形成されている。化粧パネル９は、右(上)端が取付部材としての取付ねじ１０ａにより係止板５に取り付けられる一方、左(下)端が取付部材としての取付ねじ１０ｂにより係止板６に取り付けられる。
【００２２】
化粧パネル９は、これらの取付ねじ１０ａ，１０ｂを取り外すことにより、筐体２から取り外すことができる。すなわち、化粧パネル９は、取付ねじ１０ａ，１０ｂにより筐体２に対して着脱可能に構成されている。また、化粧パネル９は、筐体２の側面板３の上辺が傾斜して形成されているため、筐体２に取り付けられた際、傾斜して取り付けられる。これにより、リーダライタ本体１の前面は、傾斜して形成されることになる。
【００２３】
さらに、化粧パネル９は、図５に示すように透光性を有する材料から構成され、その裏面の印刷範囲において色柄や模様等の印刷部９ａが施されるとともに、後述する面発光パネルに接合する部分が非印刷範囲となり、透光性を有する透光部９ｂとなる。
【００２４】
化粧パネル９の透光部９ｂには、ＩＣチップが搭載された携帯電話機を利用者が翳すための翳し部となる面発光パネル１１が当接して配置されている。この面発光パネル１１は、化粧パネル９ととともに筐体２に対して着脱可能に構成され、背面に本実施形態では図１に示すように例えば携帯電話機の図柄の溝１１ａが刻設されている。
【００２５】
一方、筐体２内には、図２に示すようにＣＰＵ，ＲＡＭ，ＲＯＭ等を搭載した制御基板１２が設置され、この制御基板１２の左右(上下)両端近傍にそれぞれ複数個のＬＥＤ（Light-Emitting Diode）等の発光体１３が取り付けられ、その上方に反射板１４ａ，１４ｂが配置されている。そして、筐体２内における面発光パネル１１の背面側には、例えば長さ５５ｍｍのアンテナ１５が設置されている。
【００２６】
また、制御基板１２は、電源ケーブル１６の一端が接続され、この電源ケーブル１６の他端は、背面板４に形成された連通孔４ｂを通してリーダライタ本体１の外部に延びている。
【００２７】
次に、本実施形態の作用を説明する。
【００２８】
図６に示すように、ＩＣチップが搭載された携帯電話機２０を卓上に設置されたリーダライタ本体１に対して所定距離（１０ｃｍ程度）内に近づくように翳すと、その携帯電話機２０の存在をアンテナ１５を介して検知し、その記録された記録情報を読み取る（或いは情報の書き込みを行う）。
【００２９】
すると、複数個の発光体１３が点灯し、その光が反射板１４ａ，１４ｂでそれぞれ光軸を変えて面発光パネル１１の側面から入射し、その面発光パネル１１を面発光させて情報を読み取ったこと、あるいは書き込んだことを利用者に知らせるようになっている。ここで、面発光パネル１１の背面には、上述したように例えば携帯電話機の図柄の溝１１ａが刻設されており、発光体１３を点灯させると、その図柄が発光しているように表示される。
【００３０】
ところで、本実施形態では、図４に示すように背面板４に開口部４ａが形成され、この開口部４ａを用いて図７に示す壁面Ｗに取り付けられた図示しないフック等の掛止手段に掛止する。この場合、図１に示すように下側が低い状態のままのリーダライタ本体１を壁面Ｗに取り付けると、利用者が携帯電話機２０を面発光パネル１１に翳しにくくなる。そのため、本実施形態では、リーダライタ本体１の上下の設置方向を変えてリーダライタ本体１の上側を低い状態とすることで、利用者が携帯電話機２０を面発光パネル１１に翳しやすくしている。
【００３１】
また、このようにリーダライタ本体１の上下の設置方向を変えた場合は、携帯電話機の図柄の溝１１ａも上下反転させることになり見栄えが悪くなる。そのため、本実施形態では、取付ねじ１０ａ，１０ｂを取り外して化粧パネル９及び面発光パネル１１を筐体２から外す。そして、面発光パネル１１の上下方向を逆にして携帯電話機の図柄の溝１１ａを上下反転させた後、化粧パネル９及び面発光パネル１１を取付ねじ１０ａ，１０ｂにより筐体２に取り付ける。このようにしてリーダライタ本体１を壁面Ｗに取り付けた状態を図７に示す。
【００３２】
一方、リーダライタ本体１を卓上に設置する場合は、図１に示すように下側が低い状態のままであれば、利用者が携帯電話機２０を面発光パネル１１に翳しやすく、また利用者が非接触リーダライタの存在を確実かつ容易に認識することができる。
【００３３】
このように本実施形態によれば、リーダライタ本体１の前面を傾斜して形成し、リーダライタ本体１の背面板４に壁面取付用の取付部としての開口部４ａを設けたことにより、卓上又は壁面Ｗに設置した場合、携帯電話機２０を翳すための翳し部としての面発光パネル１１を利用者が認識しやすく、かつ翳しやすいようにリーダライタ本体１の設置方向を変化させることで、設置面に対する面発光パネル１１の角度を変更することができる。その結果、利用者がリーダライタ本体１の存在を確実かつ容易に認識することができるとともに、読取りエラー等の不具合を未然に防止することができる。
【００３４】
また、本実施形態によれば、リーダライタ本体１は、箱状に形成された筐体２と、この筐体２に取付ねじ１０ａ，１０ｂにより取り付けられた化粧パネル９とを備え、この化粧パネル９を取付ねじ１０ａ，１０ｂにより筐体２に対して着脱可能としたことにより、化粧パネル９に色柄が施されており、当該色柄を変更する場合、取付ねじ１０ａ，１０ｂを取り外して化粧パネル９を他の色柄の化粧パネルと交換して取り付けることで、化粧パネル９を色柄の異なるものに変更することができる。
【００３５】
さらに、本実施形態によれば、面発光パネル１１を化粧パネル９ととともに筐体２に対して着脱可能に構成したことにより、上述したようにリーダライタ本体１を壁面Ｗに設置して上下の設置方向が逆になった場合、化粧パネル９ととともに面発光パネル１１を取り外し、この面発光パネル１１の図柄の向きを正規の向きに変更して取り付けることができる。
【００３６】
そして、本実施形態によれば、筐体２の設置面側に電源ケーブル１６の引出し用の凹部８を形成したことにより、リーダライタ本体１の上下の設置方向が逆になった場合でも、電源ケーブル１６を凹部８を通して引き出すことで、電源ケーブル１６の引き回し部分がリーダライタ本体１の周囲に露出することがなくなり、携帯電話機２０を面発光パネル１１に翳すときに電源ケーブル１６が邪魔になるのを回避することができる。
【００３７】
なお、本考案は上記実施形態に限定されることなく、種々の変更が可能である。例えば、上記実施形態では、記録媒体としてＩＣチップが搭載された携帯電話機２０を用いた例について説明したが、これに限らずＲＦＩＤ等から成るＩＣタグ、ＩＣカードのような他の記録媒体に対しても適用可能である。
【００３８】
また、上記実施形態では、背面板４に壁面取付用の取付部として開口部４ａを形成したが、これとは逆に背面板４に取付部としてのフックを取り付け、壁面Ｗに当該フックが掛止される部材を予め設けるようにしてもよい。
【００３９】
さらに、上記実施形態では、化粧パネル９を取付ねじ１０ａ，１０ｂにより筐体２に対して着脱可能に取り付けたが、これに限らず化粧パネル９を取り付ける部材であれば、他の部材を用いてもよい。
【図面の簡単な説明】
【００４０】
【図１】本考案に係る非接触リーダライタの一実施形態を示す斜視図である。
【図２】図１の縦断面図である。
【図３】図１の側面図である。
【図４】図１の背面図である。
【図５】図１の化粧パネルの裏側を示す斜視図である。
【図６】図１の非接触リーダライタの使用状態を示す斜視図である。
【図７】図１の非接触リーダライタを壁面に設置した状態を示す斜視図である。
【符号の説明】
【００４１】
１  リーダライタ本体
２  筐体
３  側面板
４  背面板
８  凹部
９  化粧パネル（前面板）
１０ａ，１０ｂ  取付ねじ（取付部材）
１１  面発光パネル
１２  制御基板
１３  発光体
１５  アンテナ
１６  電源ケーブル
２０  携帯電話機
【図１】
0003137387.tif 000003
【図２】
0003137387.tif 000004
【図３】
0003137387.tif 000005
【図４】
0003137387.tif 000006
【図５】
0003137387.tif 000007
【図６】
0003137387.tif 000008
【図７】
0003137387.tif 000009